(57)【要約】      （修正有）【課題】電子部品を流れる電流を測定するための電流測定回路において必要とされている抵抗を不要とし、それによって、基板の縮小化と製造コストの低減を図ることが可能な基板装置を提供する。【解決手段】基板７１と、上記基板上に通電プレート７５を介して設置される複数個の電子部品７３と、を具備し、上記通電プレート７５は上記電子部品７３に流れる電流値を計測するために必要な電流検出用抵抗としての機能を備えたものである。つまり、電流容量を確保する為に設けられる通電プレートに電子部品に流れる電流値を計測するために必要な電流検出用抵抗としての機能を持たせたものであり、それによって、別途、抵抗を実装することなく所望の電流測定が可能になるものである。【選択図】  図７
2004311798.tif 000002
【特許請求の範囲】
【請求項１】
基板と、
上記基板上に通電プレートを介して設置される複数個の電子部品と、を具備し、
上記通電プレートは上記電子部品に流れる電流値を計測するために必要な電流検出用抵抗としての機能を備えたものであることを特徴とする基板装置。
【請求項２】
請求項１記載の基板装置において、
上記通電プレートはその体積抵抗率ρ（Ωｍ）と寸法を規定することにより電流値の計測に必要な低抵抗を備えるように構成されていることを特徴とする基板装置。
【請求項３】
請求項２記載の基板装置において、
上記通電プレートは、銅（Ｃｕ）・ニッケル（Ｎｉ）合金製、又は銅（Ｃｕ）・マンガン（Ｍｎ）合金製、又はニッケル（Ｎｉ）・クロム（Ｃｒ）合金製であることを特徴とする基板装置。
【請求項４】
請求項１〜請求項３の何れかに記載の基板装置において、
上記通電プレートには一対の大電流端子と一対の電流検出端子が突設されていることを特徴とする基板装置。
【請求項５】
請求項１〜請求項４の何れかに記載の基板装置において、
上記電子部品はトランジスタであることを特徴とする基板装置。
【発明の詳細な説明】
【０００１】
【発明が属する技術分野】
本発明は、例えば、寒冷地における除雪機等の各種産業機械に使用される電動モータ制御回路や大電流が必要な回路に使用される基板装置に係り、特に、基板上に配置される電子部品の取付構造を工夫することにより、電子部品に流れる電流値を測定するための抵抗を別途設けることなく所望の測定を行うことを可能にし、それによって、装置のコンパクト化や製造コストの低減を図ることを可能にしたものに関する。
【０００２】
【従来の技術】
従来の基板装置は、例えば、図１１に示すような構成になっている。図１１（ａ）は既存の基板装置の一部を示す正面図であり、図１１（ｂ）は図１１（ａ）のｂ−ｂ矢視図である。まず、基板２０１があり、この基板２０１上の一方の端には複数個（図では２個のみ示している）のトランジスタ２０３が金属製のプレート２０５を介して一列に配置されている。すなわち、横断面形状がＬ型をなすプレート２０５を基板２０１上に取付・固定し、そこに複数個のトランジスタ２０３を起立した状態でねじ部材２０７によって取付・固定するものである。上記トランジスタ２０３は、トランジスタ本体２０３ａと、このトランジスタ本体２０３ａより延長された複数本のリード端子２０３ｂとから構成されている。
【０００３】
上記プレート２０５を挟んで上記トランジスタ２０３の反対側には放熱用のヒートシンク２０９が取り付けられている。上記ヒートシンク２０９は外側に複数枚の放熱用フィン２１１を備えた構造になっていて、上記複数個のトランジスタ２０３から発生する熱をこれら複数個の放熱用フィン２１１を介して外気中に効果的に放出するようになっている。
尚、上記基板２０１上には上記複数個のトランジスタ２０３以外にも各種電子部品が実装されていると共に銅箔パターンが設けられていて所定の電子回路が構成されているものである。
【０００４】
ところで、この種の基板装置においては、回路パターンの銅箔厚みが充分でない場合には電流容量が不足してしまうおそれがあった。その場合電流容量を超える電流が流れた場合に発熱が起こり、それによって、基板２０１上に設けられている回路パターンの銅箔が基板２０１より剥がれてしまうおそれがあった。そこで、基板２０１上に金属板２１３を設置することにより電流容量を増大させる構成が採用されている。
【０００５】
又、上記構成をなす基板装置の場合には、電子部品としてのトランジスタ２０３に流れる電流を測定して、例えば、図示しない電動モータに過負荷状態が発生しているか否かを監視することが行われている。その為、トランジスタ２０３に流れる電流値を測定するための電流測定回路が設けられており、該電流測定回路には抵抗２１５が介挿されている。この抵抗２１５はトランジスタ２０３を流れる電流を測定するために必要なものであり、図１１（ｂ）に示すように、基板２０１上に実装されているものである。
【０００６】
ところで、本件特許出願人は、図１１に示した従来例による基板装置を改良する新たな基板装置を出願している（特願２００１−３７８１４１号、未公開）。この出願は基板上に通電プレートを介して複数個の電子部品を設置することにより、上記した電流容量の不足という問題を解消せんとするものである。その概略の構成を図１２に示す。
【０００７】
図１２（ａ）は基板装置の一部を抽出して示す平面図であり、図１２（ｂ）は図１２（ａ）のｂ−ｂ断面図である。まず、基板３０１があり、この基板３０１上には電子部品としての複数個（図では４個のみを示している）のトランジスタ３０３が通電プレート３０５を介して取り付けられている。このような通電プレート３０５を介してトランジスタ３０３を取り付けることによって電流容量の不足を解消しようとするものである。
【０００８】
そして、このような構成をなす基板装置の場合にも、電子部品としてのトランジスタ３０３に流れる電流を測定して、例えば、図示しない電動モータに過負荷状態が発生しているか否かを監視することが行われている。その為、トランジスタ３０３に流れる電流値を測定するための電流測定回路が設けられており、該電流測定回路には抵抗３０７が介挿されているものである。上記抵抗３０７は、図１２に示すように、基板３０１上に実装されているものである。
【０００９】
【発明が解決しようとする課題】
上記従来の構成によると次のような問題があった。
すなわち、従来の場合には、電子部品としてのトランジスタ２０３、３０３に流れる電流を測定するために電流測定回路を設ける必要があり、その際、該電流測定回路中に抵抗２１５、３０７を設置する必要がある。その為、基板２０１、３０１上に上記抵抗２１５、３０７を実装するためのスペースを確保しなければならず、それによって、基板２０１、３０１が大型化してしまうという問題があった。
又、当然であるが、それら抵抗２１５、３０７の基板２０１、３０１への実装作業が必要となり、それによって、工数が増大してコストが上昇してしまうという問題があった。
【００１０】
本発明はこのような点に基づいてなされたものでその目的とするところは、電子部品を流れる電流を測定するための電流測定回路において必要とされている抵抗を不要とし、それによって、基板の縮小化と製造コストの低減を図ることが可能な基板装置を提供することにある。
【００１１】
【課題を解決するための手段】
上記課題を解決するべく本願発明の請求項１による基板装置は、基板と、上記基板上に通電プレートを介して設置される複数個の電子部品と、を具備し、上記通電プレートは上記電子部品に流れる電流値を計測するために必要な電流検出用抵抗としての機能を備えたものであることを特徴とするものである。
又、請求項２による基板装置は、請求項１記載の基板装置において、上記通電プレートは体積抵抗率ρ（Ωｍ）と寸法を規定することにより電流値の計測に必要な低抵抗を備えるように構成されていることを特徴とするものである。
又、請求項３による基板装置は、請求項２記載の基板装置において、上記通電プレートは、銅（Ｃｕ）・ニッケル（Ｎｉ）合金製、又は銅（Ｃｕ）・マンガン（Ｍｎ）合金製、又はニッケル（Ｎｉ）・クロム（Ｃｒ）合金製であることを特徴とするものである。
又、請求項４による基板装置は、請求項１〜請求項３の何れかに記載の基板装置において、上記通電プレートには一対の大電流端子と一対の電流検出端子が突設されていることを特徴とするものである。
又、請求項５による基板装置は、請求項１〜請求項４の何れかに記載の基板装置において、上記電子部品はトランジスタであることを特徴とするものである。
【００１２】
すなわち、本願発明による基板装置の場合には、基板と、上記基板上に通電プレートを介して設置される複数個の電子部品と、を具備し、上記通電プレートは上記電子部品に流れる電流値を計測するために必要な電流検出用抵抗としての機能を備えたものである。つまり、電流容量を確保する為に設けられる通電プレートに電子部品に流れる電流値を計測するために必要な電流検出用抵抗としての機能を持たせたものであり、それによって、別途、抵抗を実装することなく所望の電流測定が可能になるものである。
その際、上記通電プレートをその体積抵抗率ρ（Ωｍ）と寸法を規定することにより電流値の計測に必要な低抵抗を備えるように構成することが考えられる。
例えば、上記通電プレートは、銅（Ｃｕ）・ニッケル（Ｎｉ）合金製又は銅（Ｃｕ）・マンガン（Ｍｎ）合金製又はニッケル（Ｎｉ）・クロム（Ｃｒ）合金製であることが考えられる。勿論それらに限定されるものではない。
上記通電プレートに一対の大電流端子と一対の電流検出端子を突設させることが考えられ、それによって、回路設計やパターン設計が容易になる。
尚、電子部品としては様々なものが想定されるが、例えば、トランジスタであることが考えられる。
【００１３】
【発明の実施の形態】
以下、図１乃至図９を参照して本発明の第１の実施の形態を説明する。この第１の実施の形態は、産業用機械の一種である除雪機を例に挙げて、該除雪機の走行駆動に使用されている電動モータの制御回路に組み込まれている基板装置に本願発明を適用したものである。
【００１４】
まず、図１及び図２を参照して適用機械である除雪機の概略の構成を説明する。図１は除雪機１の全体構成を示す側面図であり、図２は同上の平面図である。
除雪機１の略中央部には除雪装置駆動用のエンジン３が搭載されている。一方、除雪機１の前部（図１、図２中左側）には、除雪を行うための除雪装置５が取り付けられている。上記エンジン３より出力される回転駆動力が伝達機構を介して上記除雪装置５に伝達され、それによって、除雪装置５が駆動されて降雪して積もった雪を除雪するものである。又、除雪機１の上記除雪装置５の後方近傍には除雪された雪を外方に排出するためのシュータ９が取り付けられている。
【００１５】
上記除雪機１の下部には走行用クローラ機構１１、１１が左右に１個ずつ取り付けられている。上記走行用クローラ機構１１は、一対の回転体１３、１３と、これら一対の回転体１３、１３に巻回された無端状体１５等から構成されている。上記一対の回転体１３、１３の内後方に配置されている回転体１３が駆動用回転体であり、電動モータ１７によって回転駆動されるようになっている。
尚、これは、左右の走行用クローラ機構１１、１１で同様の構成になっているので、同一部分には同一符号を付して示す。
【００１６】
上記左右の走行用クローラ機構１１、１１の各電動モータ１７、１７には、図２に示すように、ドライブユニット１９、１９がそれぞれ接続されている。又、これら各ドライブユニット１９、１９は、コントロールユニット２１に接続されている。又、上記各電動モータ１７、１７に必要な電力を供給するためのバッテリ２３が搭載されている。又、上記各ドライブユニット１９、１９は上記バッテリ２３を取り付けている取付部材２４に固定されている。
【００１７】
本実施の形態における除雪機１は、除雪装置５についてはこれをエンジン３によって駆動し、一方、走行用クローラ機構１１、１１についてはこれを電動モータ１７、１７によって駆動するものである。
尚、除雪機１の後方には一対の操作ハンドル２５、２５が延長・設置されていて、これら一対の操作ハンドル２５、２５には操作盤２７が橋渡しされた状態で設置されている。上記一対の操作ハンドル２５、２５の内、一方の操作ハンドル２５には各種操作レバ２９、３１が取り付けられていると共に、上記操作盤２７にも各種操作レバ３３、３５、３７、３９が配置されている。
【００１８】
さて、以上が本実施の形態における適用機器としての除雪機１の概略の構成であるが、その内、各電動モータ１７、１７用に設けられたドライブユニット１９、１９に本願発明による基板装置が組み込まれているものである。以下、ドライブユニット１９の構成を詳細に説明していく。
【００１９】
まず、上記ドライブユニット１９は図３及び図４に示すような外観をなしていて、上ケース５１があり、この上ケース５１の図３及び図４中右側部分はヒートシンク５３となっている。このヒートシンク５３には複数個の放熱フィン５５が形成されている。又、図４に示すように、上記上ケース５１の下側は開口部５７となっていて、この開口部５７を介して上ケース５１内に基板装置５９が内装されている。又、開口部５７には裏蓋６１が複数個の固定ねじ６３によって取付・固定されており、それによって、上ケース５１の開口部５７が閉塞されている。
【００２０】
又、上記裏蓋６１には３箇所において取付部６２が設けられており、これら取付部６２を介して図示しないボルト・ナット締結具により、除雪機１の所定場所、すなわち、バッテリ２３を取り付けている取付部材に取付・固定されるものである。又、上ケース５１にはケーブル取出部６４が設けられていて、該ケーブル取出部６４を介して各種ケーブル類が引き回されるものである。
【００２１】
上記基板装置５９は図５及び図６に示すような構成になっている。まず、基板７１があり、この基板７１上には電子部品としての複数個（図６では８個を示している）のトランジスタ７３が通電プレート７５を介して夫々取り付けられている。
尚、トランジスタとしては様々なものがあり、例えば、ＦＥＴ（Ｆｉｅｌｄ  Ｅｆｆｅｃｔ  Ｔｒａｎｓｉｓｔｏｒ）、ＩＧＢＴ（絶縁ゲート型バイポーラトランジスタ）等がある。
【００２２】
又、図６に示すように、上記通電プレート７５は１個のトランジスタ７３に対して一枚の割合で設置されている。又、上記通電プレート７５の材質としては様々なものが考えられるが、本実施の形態の場合には、銅（Ｃｕ）とニッケル（Ｎｉ）の合金が使用されている（ＪＩＳ表示はＣ２５２１）。通電プレート７５の材質として、この種の材質を選択した理由は次のようなものである。すなわち、この種の材質を選択することにより電流測定に必要な低抵抗を得ることが可能となり、それによって、通電プレート７５に対して、トランジスタ７３に流れる電流値を測定するための抵抗としての機能を持たせようとするためである。
尚、上記通電プレート７５の材質であるが体積低効率ρ（Ωｍ）とその寸法を規定することによって必要な低抵抗を備えるように構成されているものである。
【００２３】
上記通電プレート７５は、半田付によって基板７１上に固定されている。又、上記トランジスタ７３はこの通電プレート７５に対して密着した状態で取り付けられている。このように、トランジスタ７３を通電プレート７５を介して設置することにより、電流容量の不足を防止せんとするものである。又、上記通電プレート７５は、１個のトランジスタ７３の大きさよりも大きく設定されている。このように、通電プレート７５をより大きく設定したのは、トランジスタ７３をヒートシンク５３側に確実に押し付けるためである。
【００２４】
上記トランジスタ７３であるが、従来の場合には、基板７１の一方の端に起こされた状態で一列に配置されていたが、この実施の形態の場合は特に一列ではなく、又、横に寝かされた状態で二列で設置されている。上記トランジスタ７３はトランジスタ本体７３ａと、このトランジスタ本体７３ａから突出・配置されている複数本のリード端子７３ｂとから構成されている。又、トランジスタ７３は固定ねじ７７と固定ナット７９によって通電プレート７５を挟んで基板７１に取付・固定されている。
尚、上記基板７１には、上記トランジスタ７３以外にも、複数個の電子部品８１、その他の図示しない様々な電子部品が実装されていると共に、銅箔よりなる回路パターンが印刷されているものである。
【００２５】
上記構成をなす基板装置５９の上には、既に説明したように、ケース５１が被冠・固定されているが、その内、ヒートシンク５３の部分は、上記複数個のトランジスタ７３に対して密着した状態で設置されている。
以下詳しく説明すると、図７に拡大して示すように、ヒートシンク５３の内側には平坦面９１が形成されている。一方、複数個のトランジスタ７３の上面側には、シリコン樹脂からなる絶縁シート９３が設置されている。上記ヒートシンク５３の平坦面９１はこの絶縁シート９３を介して、複数個のトランジスタ７３の上面に密着した状態で設置されているものであり、それによって、トランジスタ７３より発せられる熱を効果的に放熱しようとするものである。
尚、図６では上記絶縁シート９３が仮想線で示されている。
【００２６】
既に説明した通電プレート７５に関してさらに詳しく説明する。通電プレート７５は、図８に示すような形状になっている。すなわち、前述したように、１個のトランジスタ７３の大きさに対して若干大きな長方形をなしていて、円形の開口部１０１が形成されている。又、その長手方向の両端には、一対の大電流端子１０３、１０５と、電流検出端子１０７、１０９が突設されている。このような形状をなす通電プレート７５はプレス加工によって製造されるものである。
【００２７】
又、上記構成をなす通電プレート７５の抵抗値は、前述したように、材質によって決まる体積抵抗率ρ（Ωｍ）と通電プレート７５の寸法、すなわち、図８（ａ）に示すように、通電プレート７５の長さ（Ｌ）、幅（Ｗ）、厚み（Ｄ）の大きさによって決定されるものである。これらの大きさを適宜選択することにより所望の抵抗値を得るものである。
因みに、本実施の形態の場合には、通電プレート７５の体積抵抗率ρ（Ωｍ）は０．４９であり、又、通電プレート７５の長さ（Ｌ）、幅（Ｗ）、厚み（Ｄ）の大きさは、夫々２１．５ｍｍ、１５．７ｍｍ、０．５ｍｍに設定されている。
【００２８】
次に、トランジスタ７３に流れる電流値を測定するための電流値測定回路の構成を図９を参照して説明する。図９はトランジスタ（Ｔｒ）７３が組み込まれた制御回路の一部を示す回路図であり、そこには、上記トランジスタ（Ｔｒ）７３、抵抗（Ｒ１）１１１、抵抗（Ｒ２）１１３、ツェナーダイオード（定電圧ダイオード、ＺＤ）１１５、そして、上記電流測定回路１１７が組み込まれている。上記電流測定回路１１７は、抵抗（Ｒ３）１１９、オペレーショナルアンプ（演算増幅器）としての集積回路（ＩＣ）１２１、抵抗（Ｒ４）１２３、抵抗（Ｒ５）１２５、そして抵抗（Ｒ６）１２７とによって構成されている。そして、この抵抗（Ｒ６）１２７が通電プレート７５によって提供されている抵抗である。このような構成をなす電流測定回路１１７によってトランジスタ７３に流れる電流値を測定するものである。
【００２９】
図９に示す回路において、トランジスタ（Ｔｒ）７３に流れる電流と通電プレート７５の抵抗（Ｒ６）に流れる電流は同じであり、そこで、電流測定回路１１７によって抵抗（Ｒ６）に流れる電流を測定しようとするものである。具体的には、集積回路（ＩＣ）１２１の（＋）側入力端子１２１ａに非反転入力電圧が入力され、（−）側入力端子１２１ｂに反転入力電圧が入力される。そして、出力端子１２１ｃより増幅された出力電圧が出力される。これを図示しない制御回路によって処理して抵抗（Ｒ６）を流れる電流、すなわち、トランジスタ（Ｔｒ）７３を流れる電流を測定するものである。そして、その測定された電流値に基づいて、例えば、電動モータ１７に過負荷が発生しているか否かを検出するものである。
【００３０】
又、通電プレート７５の一対の大電流端子１０３、１０５と、電流検出端子１０７、１０９は、図９に示すような配置で接続されることになる。つまり、電流検出用の一対の電流検出端子１０７、１０９は通電プレート７５内において大電流端子１０３、１０５の内側に位置しており、それによって、外部、すなわち、一対の大電流端子１０３、１０５の外側の回路の影響を受けることなく、所望の電流測定を行うことが可能になるものである。
【００３１】
以上この実施の形態によると次のような効果を奏することができる。
まず、基板７１の縮小化を図ることが可能になった。これは、通電プレート７５の材質として所定の材質を採用することにより、通電プレート７５にトランジスタ７３を流れる電流値の測定の為に必要な抵抗としての機能を持たせることが可能になり、それによって、基板７１上に電流測定用の抵抗を別途設ける必要がなくなったからである。
基板７１が縮小化されたことによりドライブユニット１９ひいては装置全体の構成もコンパクト化されることになる。
又、基板７１に対する電子部品等の実装作業も抵抗の数が減少することにより簡略化されることになり、作業に要する労力の軽減、時間の短縮を図ることが可能になり、それによって、製造コストの低減を図ることが可能になる。
又、通電プレート７５はプレス加工によって製造可能であり、よって、一対の大電流端子１０３、１０５と、電流検出端子１０７、１０９が突設されているような形状であっても容易にこれを製造することができる。
又、この実施の形態の場合には、通電プレート７５に一対の大電流端子１０３、１０５と、電流検出端子１０７、１０９を設けていて、大電流端子１０３、１０５と電流検出端子１０７、１０９が独立しているので、パターン配線の位置による精度変化等を懸念する必要はなく、回路設計やパターン設計が容易になる。
これを具体的に説明すると、例えば、大電流端子１０７とトランジスタ７３との間の距離や大電流端子１０５とアースとの距離が大きくなると、その間の抵抗ひいては電圧が増大することになる。その際、仮に、一対の大電流端子１０３、１０５が電流検出端子としても機能するような構成であると、電流検出に際してもそれらの影響を受けることになる。これに対して、本実施の形態の場合には、一対の電流検出端子１０７、１０９が一対の大電流端子１０３、１０５に対して独立していて、且つ、図９に示すように、一対の大電流端子１０３、１０５の内側の通電プレート７５内に位置しているので、それらの影響を受けることはなく電流測定を行うことができるものである。それによって、回路設計やパターン設計が容易になるものである。
又、大電流端子１０３、１０５と電流検出端子１０７、１０９間の抵抗であるが、これは距離が小さく、且つ、材質的にも低抵抗である為、電流測定の支障になることはない。
又、大電流端子１０３、１０５の両端（半田、パターン）においても電圧が発生するが、電流検出抵抗の中に含まれることはなく電流検出においても無視することができる。
【００３２】
次に、図１０を参照して本発明の第２の実施の形態を説明する。
前記第１の実施の形態の場合には、通電プレートを単なるプレートとして構成したが、この第２の実施の形態の場合には、通電プレートに弾性機能を持たせた構成とし、それによって、複数個のトランジスタの寸法公差をより効果的に吸収するようにしたものである。
【００３３】
すなわち、図１０に示すように、この第２の実施の形態における通電プレート１０１には複数個の切起片１０１ａが切り起こされており、これら複数個の切起片１０１ａが弾性部材として機能するようになっている。そして、トランジスタ７３はこれら複数個の切起片１０１ａの弾性力に抗して、ヒートシンク５３の平坦面９１側に押圧されることになり、それによって、複数個のトランジスタ３の寸法公差、すなわち、厚さ方向の寸法公差が効果的に吸収されることになる。それによって、複数個のトランジスタ３の上面がヒートシンク９の平坦面９１にシート９３を介して密着されることになる。よって、放熱が効果的に行われることになる。
尚、通電プレート１０１の材質に関しては前記第１の実施の形態の場合と同様であり、電流測定のために必要な所望の抵抗値を得られるような材質と寸法に設定されているものである。又、それ以外の構成は前記第１の実施の形態の場合と同じであるので、同一部分には同一符号を付して示しその説明は省略する。
よって、前記第１の実施の形態の場合と同様の効果を奏することができるものである。
【００３４】
尚、本発明は前記第１、第２の実施の形態に限定されるものではない。
まず、前記第１及び第２の実施の形態の場合には、通電プレート７５の材質として銅（Ｃｕ）とニッケル（Ｎｉ）の合金（ＪＩＳ表示はＣ２５２１）を例に挙げたが、これ以外にも、銅（Ｃｕ）とマンガン（Ｍｎ）の合金、ニッケル（Ｎｉ）とクロム（Ｃｒ）の合金が考えられる。勿論それらに限定されるものではない。
前記第１、第２の実施の形態では、電子部品としてトランジスタを例に挙げて説明したが、トランジスタ以外の様々な電子部品、特に、発熱が懸念される電子部品の場合に対してもその適用が考えられる。
又、前記第２の実施の形態の場合において、弾性機能を発揮させるために、例えば、別途バネ部材を介在させる、導電性ゴム部材を介在させる、等様々な構成が想定されるものである。
又、前記第１、第２の実施の形態では、基板装置を組み込む対象機器とし、除雪機の走行用クローラ機構１１に使用されている電動モータ１７用のドライブユニット１９を想定したが、それ以外にも様々な機器に適用可能であり、例えば、大電流が必要な回路に組み込まれる基板装置等に対しても同様に適用可能である。
【００３５】
【発明の効果】
以上、詳述したように本発明による基板装置によると、まず、基板の縮小化を図ることが可能になった。これは、通電プレートの材質として所定の材質を採用することにより、通電プレートに電子部品を流れる電流値の測定の為に必要な抵抗としての機能を持たせることが可能になり、それによって、基板上に電流測定用の抵抗を別途設ける必要がなくなったからである。
基板が縮小化されたことにより装置全体の構成もコンパクト化されることになる。
又、基板に対する電子部品等の実装作業も抵抗の数が減少することにより簡略化されることになり、作業に要する労力の軽減、時間の短縮を図ることが可能になり、それによって、製造コストの低減を図ることが可能になる。
又、通電プレートはプレス加工によって製造可能であり、よって、一対の大電流端子と、電流検出端子が突設されているような形状であっても容易にこれを製造することができる。
又、通電プレートに一対の大電流端子と一対の電流検出端子を設けて大電流端子と電流検出端子を独立させた場合には、パターン配線の位置による精度変化等を懸念する必要はなく、回路設計やパターン設計が容易になる。
【図面の簡単な説明】
【図１】本発明の第１の実施の形態を示す図で、産業機械の一例としての除雪機の全体構成を示す側面図である。
【図２】本発明の第１の実施の形態を示す図で、産業機械の一例としての除雪機の全体構成を示す平面図である。
【図３】本発明の第１の実施の形態を示す図で、ドライブユニットの平面図である。
【図４】本発明の第１の実施の形態を示す図で、一部を切り欠いて示すドライブユニットの側面図である。
【図５】本発明の第１の実施の形態を示す図で、図３のＶ−Ｖ断面図である。
【図６】本発明の第１の実施の形態を示す図で、図３に示すドライブユニットからケースを取り除いた様子を示す平面図である。
【図７】本発明の第１の実施の形態を示す図で、図５のＶＩＩ部を拡大して示す断面図である。
【図８】本発明の第１の実施の形態を示す図で、図８（ａ）は通電プレートの平面図、図８（ｂ）は図８（ａ）のｂ−ｂ矢視図、図８（ｃ）は図８（ａ）のｃ−ｃ矢視図である。
【図９】本発明の第１の実施の形態を示す図で、電子部品としてのトランジスタに流れる電流を測定するための回路構成を示す回路図である。
【図１０】本発明の第２の実施の形態を示す図で、基板装置の一部側面図である。
【図１１】従来例を示す図で、図１１（ａ）は基板構造の一部平面図、図１１（ｂ）は図１１（ａ）のｂ−ｂ矢視図である。
【図１２】従来例を示す図で、図１２（ａ）は基板構造の一部平面図、図１２（ｂ）は図１２（ａ）のｂ−ｂ矢視図である。
【符号の説明】
１９  ドライブユニット
５１  ケース
５３  ヒートシンク
５９  基板装置
７３  トランジスタ（電子部品）
７５  通電プレート
１０１  通電プレート
１０１ａ  切り起し片
【図１】
2004311798.tif 000003
【図２】
2004311798.tif 000004
【図３】
2004311798.tif 000005
【図４】
2004311798.tif 000006
【図５】
2004311798.tif 000007
【図６】
2004311798.tif 000008
【図７】
2004311798.tif 000009
【図８】
2004311798.tif 000010
【図９】
2004311798.tif 000011
【図１０】
2004311798.tif 000012
【図１１】
2004311798.tif 000013
【図１２】
2004311798.tif 000014